(57)【要約】【課題】身体装着具における肌対向面を保護するシートの使用量を最小限にとどめることができる耳掛け型身体装着具を提供すること。【解決手段】身体装着具１０は耳掛け型のものであり、使用時に使用者の身体の側を向く内面２１及び外方を向く外面２２を有する本体部２０を備える。本体部２０は、その内面の略全域が保護シート３０によって覆われている。保護シート３０は本体部２０の周縁域において本体部２０と接合されており、その接合は少なくとも一部が剥離可能なものである。保護シート３０が、使用時に耳掛け部として用いるものであることが好適である。保護シート３０が非通気性シートからなり、かつ本体部２０の内面２１を気密に覆っていることも好適である。【選択図】図２
2012005791.tif 000002
【特許請求の範囲】
【請求項１】
使用時に使用者の身体の側を向く内面及び外方を向く外面を有する本体部と、該本体部に対してその一部が剥離不能に接合されている耳掛け部とを備え、
該本体部は、その内面の略全域が保護シートによって覆われており、該保護シートは該本体部の周縁域において該本体部と接合されており、その接合は少なくとも一部が剥離可能なものである耳掛け型身体装着具。
【請求項２】
前記保護シートが、使用時に耳掛け部として用いるものである請求項１に記載の耳掛け型身体装着具。
【請求項３】
前記保護シートが非通気性シートからなり、前記本体部の少なくとも内面を気密に覆っており、かつ前記本体部の外面が非通気性シートから構成されている請求項１又は２に記載の耳掛け型身体装着具。
【請求項４】
前記本体部の内面を通気性シートから構成し、該通気性シートと前記非通気性シートとの間に被酸化性金属を含む発熱体を配した請求項３に記載の耳掛け型身体装着具。
【請求項５】
本体部が、長手方向とこれに直交する幅方向を有する横長の形状であり、
保護シートが１枚のシート材からなり、該シート材は、本体部の長手方向両端の左右の側縁域に沿って本体部と剥離不能に接合されているとともに、本体部の上辺域及び下辺域に沿って本体部と剥離可能に接合されており、
前記シート材には、本体部を左右に二分する縦中心線に沿って縦方向切断誘導線が設けられており、かつ縦中心線を挟んだ左右の位置に本体部の長手方向と同方向に延びる横方向切断誘導線が設けられており、
使用時に縦方向切断誘導線に沿って前記シート材を開裂して該シート材を左右に二分し、二分された各シート材を本体部から剥離し、かつ横方向切断誘導線に沿って各シート材を開裂することで、各シート材を耳掛け部として用いる請求項１〜４の何れか一項に記載の耳掛け型身体装着具。
【請求項６】
本体部が、長手方向とこれに直交する幅方向を有する横長の形状であり、
保護シートが、本体部の左半部と同形をしており、かつ切断誘導線を有する第１のシート材及び右半部と同形をしており、かつ切断誘導線を有する第２のシート材からなり、
第１のシート材が、本体部の内面における左半部に配置されており、かつ第２のシート材が、本体部の内面における右半部に配置されており、この配置状態において、各シート材に設けられた切断誘導線は、本体部の長手方向と同方向に延びるように位置しており、
第１のシート材は、本体部の左側縁域に沿って本体部と剥離不能に接合されているとともに、本体部の上辺域及び下辺域に沿って本体部と剥離可能に接合されており、
第２のシート材は、本体部の右側縁域に沿って本体部と剥離不能に接合されているとともに、本体部の上辺域及び下辺域に沿って本体部と剥離可能に接合されており、
使用時に第１のシート材及び第２のシート材を本体部から剥離して、かつ切断誘導線に沿って各シート材を開裂することで、各シート材を耳掛け部として用いる１〜４の何れか一項に記載の耳掛け型身体装着具。
【請求項７】
本体部が、長手方向とこれに直交する幅方向を有する横長の形状であり、
本体部は、その内面の略全域が第１保護シートによって覆われており、かつその外面の略全域が第２保護シートによって覆われており、
第１及び第２保護シートが各々１枚のシート材からなり、これらのシート材は、本体部の長手方向両端の左右の側縁域に沿って本体部と剥離不能に接合されているとともに、本体部の上辺域及び下辺域に沿って本体部と剥離可能に接合されており、
これらのシート材には、本体部を左右に二分する縦中心線に沿って縦方向切断誘導線が設けられており、かつ縦中心線を挟んだ左右の位置に本体部の長手方向と同方向に延びる横方向切断誘導線が設けられており、
使用時に縦方向切断誘導線に沿ってこれらのシート材を開裂して各シート材を左右に二分し、二分された各シート材を本体部から剥離し、かつ横方向切断誘導線に沿って各シート材を開裂することで、各シート材を耳掛け部として用いる請求項１〜４の何れか一項に記載の耳掛け型身体装着具。
【請求項８】
本体部が、長手方向とこれに直交する幅方向を有する横長の形状であり、
本体部は、その内面の略全域が第１保護シートによって覆われており、かつその外面の略全域が第２保護シートによって覆われており、
第１及び第２保護シートのそれぞれが、本体部の左半部と同形をしており、かつ切断誘導線を有する第１のシート材及び右半部と同形をしており、かつ切断誘導線を有する第２のシート材からなり、
第１のシート材が、本体部の内面及び外面における左半部に配置されており、かつ第２のシート材が、本体部の内面及び外面における右半部に配置されており、この配置状態において、各シート材に設けられた切断誘導線は、本体部の長手方向と同方向に延びるように位置しており、
各第１のシート材は、本体部の左側縁域に沿って本体部と剥離不能に接合されているとともに、本体部の上辺域及び下辺域に沿って本体部と剥離可能に接合されており、
各第２のシート材は、本体部の右側縁域に沿って本体部と剥離不能に接合されているとともに、本体部の上辺域及び下辺域に沿って本体部と剥離可能に接合されており、
使用時に各第１のシート材及び各第２のシート材を本体部から剥離して、かつ切断誘導線に沿って各シート材を開裂することで、各シート材を耳掛け部として用いる請求項１〜４の何れか一項に記載の耳掛け型身体装着具。
【請求項９】
前記耳掛け部が、前記本体部と前記保護シートとの間に存在する請求項１に記載の耳掛け型身体装着具。
【請求項１０】
前記保護シートが非通気性シートからなり、前記本体部の少なくとも内面を気密に覆っており、かつ前記本体部の外面が非通気性シートから構成されている請求項９に記載の耳掛け型身体装着具。
【請求項１１】
前記本体部の内面を通気性シートから構成し、該通気性シートと前記非通気性シートとの間に被酸化性金属を含む発熱体を配した請求項１０に記載の耳掛け型身体装着具。
【発明の詳細な説明】
【技術分野】
【０００１】
本発明は、使用者の身体に取り付けられて使用される身体装着具に関し、特に、マスクやアイマスクのような耳掛け型の身体装着具に関する。
【背景技術】
【０００２】
従来、一般的に使用されているマスクやアイマスク等の耳掛け型身体装着具は、その使用前まで、接肌面の衛生状態を保つこと等の遮蔽性を目的として、個別に又は複数枚が積層されて外袋内に収容された状態で保存される。使用時には外袋を開封し、身体装着具を取り出して耳掛け部を耳に掛けて肌面に装着する。身体装着具を収容していた袋は不要物として廃棄される。しかし、昨今の省資源・エコロジーの観点から、廃棄物が極力生じないようにすることが望まれている。
【０００３】
一方、使い捨てカイロの技術分野において、使用前のカイロを外気と触れさせないようにするための外袋を不要にする技術が提案されている（例えば特許文献１及び２参照）。
【先行技術文献】
【特許文献】
【０００４】
【特許文献１】特開２００８−２８４１９３号公報
【特許文献２】実開昭６１−８００１５号公報
【発明の概要】
【発明が解決しようとする課題】
【０００５】
しかし、前記の文献に記載されている使い捨てカイロは、そのまま手に持って、又はポケットに入れて使用するものであるか、衣類などに貼って使用するものである。したがって同文献には、耳掛け部について何ら検討がなされていない。
【０００６】
本発明の課題は、使用時に発生する廃棄物の量を少なくしつつ、使用前まで肌対向面の衛生状態を保つことができる耳掛け型身体装着具を提供することにある。
【課題を解決するための手段】
【０００７】
本発明は、使用時に使用者の身体の側を向く内面及び外方を向く外面を有する本体部と、該本体部に対してその一部が剥離不能に接合されている耳掛け部とを備え、該本体部は、その内面の略全域が保護シートによって覆われており、該保護シートは該本体部の周縁域において該本体部と接合されており、その接合は少なくとも一部が剥離可能なものである耳掛け型身体装着具を提供するものである。
【発明の効果】
【０００８】
本発明の耳掛け型身体装着具によれば、該身体装着具における肌対向面が保護シートによって覆われているので、本体部や耳掛け部の接肌面の衛生状態を保つことが可能であるため衛生的且つ手軽に使用できる。とりわけ、使用時に該保護シートを耳掛け部として利用する実施形態の場合、特に廃棄物の発生を抑えることができ非常に好ましい。
【図面の簡単な説明】
【０００９】
【図１】図１（ａ）は、本発明の身体装着具の第１の実施形態を、保護シートが設けられている側からみた平面図であり、図１（ｂ）は、図１（ａ）に示す身体装着具における本体部のみを示す平面図である。
【図２】図２は、図１に示す身体装着具における保護シートを本体部から剥離して左右に展開した状態を示す平面図である。
【図３】図３は、第１の実施形態の身体装着具を発熱具に適用した場合の構造を示す断面図である。
【図４】図４は、本発明の身体装着具の第２の実施形態を、保護シートが設けられている側からみた平面図である。
【図５】図５（ａ）は、本発明の身体装着具の第３の実施形態を示す斜視図であり、図５（ｂ）は、図５（ａ）におけるｂ−ｂ線断面図（図３相当図）であり、図５（ｃ）は、図５（ａ）に示す状態の身体装着具を使用するときの状態を示す斜視図である。
【図６】図６は、本発明の身体装着具の第４の実施形態を、第２保護シートを一部剥離して示す図である。
【発明を実施するための形態】
【００１０】
以下本発明を、その好ましい実施形態に基づき図面を参照しながら説明する。図１（ａ）に示す第１の実施形態の身体装着具１０は、本体部２０と保護シート３０とを備えている。本体部２０は扁平であり、身体装着具１０の使用時に、使用者の肌の側を向く内面２１と、外側を向く外面（図示せず）とを有している。
【００１１】
図１（ｂ）に示すように、本体部２０は、長手方向Ｘと、これに直交する幅方向Ｙとを有する横長の形状をしている。本体部２０は、長手方向Ｘに延びる上辺２３及び下辺２４を有している。また本体部は、幅方向Ｙに延びる左側辺２５及び右側辺２６を有している。上辺２３及び下辺２４は、それらの中央域が、外側に向けてやや膨出した凸の曲線を描いている。左側辺２５及び右側辺２６は、それらの中央域が、内側に向けてやや湾曲した凹の曲線を描いている。上辺２３及び下辺２４と、左側辺２５及び右側辺２６とは、滑らかに連なっている。本体部２０は、幅方向Ｙに延びる縦中心線Ｌに関して左右対称の形状になっている。
【００１２】
保護シート３０は１枚のシート材からなり、本体部２０における内面２１上に配置されている。保護シート３０は、身体装着具１０が使用されるまでの間、本体部２０における内面２１を保護する目的で用いられる。保護シート３０はその輪郭が、本体部２０の輪郭と略一致している。そして、保護シート３０は、本体部２０における内面２１の略全域を覆うように、内面２１上に配置されている。したがって、本体部２０の内面２１は、その略全域が外方に露出した状態になっていない。
【００１３】
保護シート３０は、本体部２０の左側辺２５及び右側辺２６を含む所定幅の側縁域２５ａ，２６ａに沿って、本体部２０と剥離不能に接合されている剥離不能接合部（斜線部）を有する。保護シート３０は、側縁域２５ａ，２６ａの全域にわたって、本体部２０と連続的に接合されている。つまり、側縁域２５ａ，２６ａにおいては、本体部２０と保護シート３０との間に非接合部位が存在していない。
【００１４】
上述した「剥離不能」とは、保護シート３０を本体部２０から剥離したときに、両者の接合部に材料破壊が生じるほどの高い接合力で両者が接合されていることをいう。側縁域２５ａ，２６ａにおける本体部２０と保護シート３０との接合手段は、これらを構成する材料の種類に応じて適切な手段が用いられる。例えば接合手段として、熱融着、超音波接合、接着剤を用いた接着、縫着等を用いることができる。
【００１５】
保護シート３０は、本体部２０の上辺２３及び下辺２４を含む所定幅の上辺域２３ａ及び下辺域２４ａに沿って、本体部２０と剥離可能に接合されている剥離可能接合部（ドット部）を有する。保護シート３０は、上辺域２３ａ及び下辺域２４ａの全域にわたって、本体部２０と連続的に接合されている。つまり、上辺域２３ａ及び下辺域２４ａにおいては、本体部２０と保護シート３０との間に非接合部位は存在していない。
【００１６】
上述した「剥離可能」とは、保護シート３０を本体部２０から剥離したときに、両者の接合部に材料破壊が生じる前に、両者が分離することをいう。上辺域２３ａ及び下辺域２４ａにおいて本体部２０と保護シート３０とを剥離可能に接合するための接合手段としては、いわゆるイージーシールと呼ばれる剥離可能な接合手段を採用することができる。また、本体部２０及び保護シート３０の一方に、シリコーン等を用いた剥離処理を施すとともに、他方に接着剤を塗布するという手段を採用しても良い。
【００１７】
以上のとおり、保護シート３０は、本体部２０の周縁域の全域にわたって該本体部２０と連続的に接合している。つまり該周縁域においては、本体部２０と保護シート３０との間に非接合部位は存在していない。しかし、該周縁域よりも内側の領域の全域においては、保護シート３０と本体部２０の内面２１とは非接合の状態になっている。したがって、身体装着具１０の使用前の状態においては、本体部２０の内面２１、すなわち身体装着具１０の使用時に使用者の肌と対向する面は、保護シート３０によって保護されており、外部との接触が阻止されている。これによって、内面２１は、身体装着具１０が使用されるまでの間、衛生的な状態が保たれる。なお、場合によっては、本体部２０の周縁域において、内面２１の衛生的な状態が保たれる程度に、該本体部２０と保護シート３０との間に非接合部位が存在しても良い。
【００１８】
保護シート３０には、本体部２０を左右に二分する縦中心線Ｌに沿って縦方向切断誘導線３１が１本設けられている。縦方向切断誘導線３１は直線状に延びている。縦方向切断誘導線３１は、例えばミシン目やドット状開孔群の列から構成されている。なお、縦方向切断誘導線３１は、本体部２０と保護シート３との間の密閉性を保つ必要がある場合には、密閉性を有する切断誘導処理が成されていると良い。密封性を有する切断誘導処理としては、例えば保護シート３０をフィルムとアルミニウム箔等の金属箔との積層構造となし、ミシン目を該フィルムにのみ形成する処理が挙げられる。この場合、フィルムは、外方を向くように配置されてもよく、あるいは本体部２０に臨むように配置されてもよい。また、別の切断誘導処理として、ハーフカットのミシン目を形成する処理、すなわち保護シート３０の厚み方向全域を貫通しないような切断を行ったミシン目を形成する処理が挙げられる。更に、保護シート３０にミシン目やドット状開孔群を構成し、そのミシン目やドット状開孔群上に非通気性のテープを貼る処理や、ミシン目を粘着剤で貼り合わせる処理を採用することもできる。
【００１９】
また保護シート３０には、縦中心線Ｌを挟んだ左右の位置に、本体部２０の長手方向Ｘと同方向に延びる横方向切断誘導線３２が１本ずつ設けられている。横方向切断誘導線３２は、本体部２０の幅方向Ｙにおける略中央部に位置している。横方向切断誘導線３２における外方側の端部３２ａは、側縁域２５ａ，２６ａにまでは達していない。一方、横方向切断誘導線３２における内方側の端部３２ｂは、縦中心線Ｌにまでは達していない。先に述べた縦方向切断誘導線３１と同様に、横方向切断誘導線３２もミシン目やドット状開孔群の列から構成することができ、本体部２０と保護シート３との間の密閉性を保つ必要がある場合には、密閉性を有する切断誘導処理が成されていると良い。
【００２０】
縦方向切断誘導線３１及び横方向切断誘導線３２に加え、保護シート３０には、縦方向第２切断誘導線３３が設けられている。縦方向第２切断誘導線３３は、縦中心線Ｌを挟んだ左右の位置に、縦中心線Ｌから所定の距離を隔てて縦中心線Ｌと同方向に延びるように１本ずつ設けられている。縦方向第２切断誘導線３３はその略中央部において、横方向切断誘導線３２の内方側の端部３２ｂと連続している。その結果、縦方向第２切断誘導線３３と横方向切断誘導線３２とで、Ｔ字状の切断誘導線が形成される。先に述べた縦方向切断誘導線３１と同様に、縦方向第２切断誘導線３３もミシン目やドット状開孔群の列から構成することができ、本体部２０と保護シート３との間の密閉性を保つ必要がある場合には、密閉性を有する切断誘導処理が成されていると良い。
【００２１】
図２には、図１に示す身体装着具１０を使用するときの状態が示されている。図１に示す身体装着具１０を使用する場合には、縦方向切断誘導線３１に沿って保護シート３０を左右に二分する。この操作によって、保護シート３０は、互いに対称形である左半部３０ａと右半部３０ｂとに分かれる。先に述べたとおり、保護シート３０と本体部２０とは、本体部２０の上辺域２３ａ及び下辺域２４ａにおいて剥離可能に接合されているので、保護シート３０の左半部３０ａ及び右半部３０ｂを、これらの領域において本体部２０から剥離して左右に展開することができる。図２はこの状態を示している。この場合、保護シート３０と本体部２０とは、本体部２０の側縁域２５ａ，２６ａにおいて剥離不能に接合されているので、保護シート３０の左半部３０ａ及び右半部３０ｂは、本体部２０から分離せず、本体部２０と一体の状態が保たれている。
【００２２】
縦方向切断誘導線３１に沿って保護シート３０を二分する操作に加えて、保護シート３０の左半部３０ａ及び右半部３０ｂにそれぞれ形成されている横方向切断誘導線３２及び縦方向第２切断誘導線３３に沿って、右半部３０ａ及び左半部３０ｂを開裂する操作も行う。これによって、左半部３０ａ及び右半部３０ｂには開口部３１ａ，３１ｂが形成される。これら一連の操作によって、保護シート３０から、開口部３１ａ，３１ｂをそれぞれ有する左右一対の耳掛け部４０ａ，４０ｂが形成される。
【００２３】
図２に示す状態の身体装着具１０は、左右の耳掛け部４０ａ，４０ｂにおける開口部３１ａ，３１ｂを耳に通すことで本体部２０を肌面に接触させて固定することができる。この場合、本体部２０を使用者の鼻から顎にかけての部位に接触させれば、通常のマスクと同様に用いることができる。また、本体部２０を使用者の両眼に接触させれば、アイマスクとして用いることができる。そして、身体装着具１０の使用の直前までは、本体部２０の周縁域に剥離可能に接合されている保護シート３０によって本体部２０の内面２１は覆われているので、該内面３０の衛生的な状態が維持されたままになっている。また、内面２１を保護する保護シート３０は、身体装着具１０の使用中、耳掛け部４０ａ，４０ｂとして用いられるので、廃棄物が一切発生しないという利点もある。
【００２４】
内面２１の衛生的な状態を確実に維持する観点からは、保護シート３０は、非通気性の材料から構成することが好ましい。この場合には、本体部２０の周縁部と保護シート３０との接合を上述のとおり連続的に行い、縦方向切断誘導線３１や横方向切断誘導線３２や縦方向第２切断誘導線３３も使用時までは本体部２０と保護シートとの間の密閉性を有する切断誘導処理が成され、該保護シートが本体部２０の内面２１を気密に覆うようにすることが好ましい。内面２１を保護する程度によっては、保護シート３０として通気性のものを用いてもよく、あるいは、本体部２０の周縁部と保護シート３０との接合を断続的に行ってもよい。
【００２５】
身体装着具１０における本体部２０の構成材料は、該本体部２０を使用者の身体のどの部位に接触させるかに応じて適切なものが選択されて用いられる。例えば、本体部２０を使用者の鼻から顎にかけての部位に接触させる場合には、通気性を有し、かつ肌触りの良好な柔軟な材料から本体部２０を構成することが好ましい。そのような材料としては、各種の織物地、編み物地、不織布、それらの複合材料等を用いることができる。
【００２６】
前記の材料から本体部２０を構成することに加えて、該本体部２０に付加的な機能を付与する材料を、該本体部２０に含めることもできる。例えば本体部２０の内部に活性炭等のガス吸着剤や消臭剤等を含ませておくことができる。また、本体部２０に香料を含ませておくこともできる。
【００２７】
本体部２０に発熱体を含ませておき、身体装着具１０の使用時に、該発熱体が発熱するようにしてもよい。この場合には、身体装着具１０を温熱アイマスクや蒸気温熱マスクとして用いることが好適である。温熱を目に付与することで、目の疲れが緩和され、また目の隈が軽減されるという利点がある。蒸気温熱を喉鼻に付与することで、喉鼻を湿潤に保つことが可能となるという利点がある。
【００２８】
前記の発熱体としては、例えば被酸化性金属の酸化熱、酸とアルカリとの中和熱、無機塩類の水和熱等を利用する材料を用いることができる。被酸化性金属の酸化熱を利用して発熱させる場合には、本体部２０における外面を非通気性のシートから構成するとともに、上述した保護シート３０も非通気性のシートから構成し、それらの間に発熱体を配し、縦方向切断誘導線３１や横方向切断誘導線３２や縦方向第２切断誘導線３３も使用時までは本体部２０と保護シート３との間の密閉性を有する切断誘導処理が成されることで、身体装着具１０の使用前まで、発熱体を外気との接触を確実に断つことができる。
【００２９】
図３には、被酸化性金属の酸化熱を利用した発熱体を有する身体装着具１０の構造の一例が示されている。同図は、先に説明した図１に対応する状態（つまり、使用前の状態）を示している。同図に示す身体装着具１０における本体部２０は、内側シート４０と、外側シート４１とを有している。内側シートは、身体装着具１０の使用時に内面２１となる。外側シート４１は外面２２となる。両シート４０，４１はそれらの周縁部において接合されて袋状となり、内部に空間を形成している。この空間には発熱体４２が２個配置されている。２個の発熱体４２は、本体部２０の長手方向Ｘに沿って配置されている。各発熱体４２は、本体部５０を使用者の両眼を覆うように配置したときに、各発熱体４２が左右の目の上に位置するように配置されている。内側シート４０と外側シート４１の周縁部において接合されて形成された袋体内には、発熱体４２が複数個収容されていても良く（図３においては２個）、この場合、袋体内での発熱体４２の移動を防止することを目的として、内側シート４０と外側シート４１を、それらの周縁部よりも内方の領域において接合し、それによって形成された個々の区画内に発熱体４２を収容してもよい。これに代えて、各発熱体４２の一部を、内側シート４０及び／又は外側シート４１に固定してもよい。
【００３０】
以上の構成の身体装着具１０においては、外側シート４１として、熱可塑性樹脂のフィルム等の非通気性シートを用いればよい。あるいは、非通気性シートと不織布等の繊維シートとの積層シートを用いることもできる。一方、内側シート４０として、不織布シート等の繊維シートからなる通気性シートを用いればよい。そして、保護シート３０として、非通気性シートを用いればよい。
【００３１】
次に、本発明の第２〜第４の実施形態を、図４〜図６を参照しながら説明する。これらの実施形態については、先に述べた第１の実施形態と異なる点について説明し、特に説明しない点については、第１の実施形態について詳述した説明が適宜適用される。また、図４〜図６において、図１〜図３と同じ部材には、同じ符号を付してある。
【００３２】
図４に示す第２の実施形態の身体装着具１０は、保護シートの構成が第１の実施形態と相違している。第１の実施形態では保護シートは１枚用いられていたが、本実施形態では２枚の保護シートが用いられている。詳細には、本実施形態における保護シートは、本体部２０の縦中心線Ｌに対して左半部と同形をしている第１のシート材からなる第１保護シート３０Ａと、本体部２０の縦中心線Ｌに対して右半部と同形をしている第２のシート材からなる第２保護シート３０Ｂとから構成されている。第１保護シート３０Ａは、本体部２０の左半部の全域を覆うように本体部２０の内面上に配置されている。一方、第２保護シート３０Ｂは、本体部２０の右半部の全域を覆うように本体部２０の内面上に配置されている。
【００３３】
第１保護シート３０Ａは、本体部１０の左側側縁域２５ａに沿って、側縁域２５ａと剥離不能に接合されている。これとともに第１保護シート３０Ａは、本体部２０の上辺域２３ａ及び下辺域２４ａに沿って本体部２０と剥離可能に接合されている。更に第１保護シート３０Ａは、本体部１０の縦中心線Ｌに沿う自由側縁域２７Ａにおいて本体部２０と剥離可能に接合されている。第２保護シート３０Ｂについても同様であり、第２保護シート３０Ｂは、本体部１０の右側側縁域２６ａに沿って、側縁域２６ａと剥離不能に接合されている。これとともに第２保護シート３０Ｂは、本体部２０の上辺域２３ａ及び下辺域２４ａに沿って本体部２０と剥離可能に接合されている。更に第２保護シート３０Ｂは、本体部１０の縦中心線Ｌに沿う自由側縁域２８Ａにおいて本体部２０と剥離可能に接合されている。
【００３４】
第１及び第２保護シート３０Ａ，３０Ｂには、これらが図４に示す配置状態において、本体部２０の長手方向と同方向に延びる横方向切断誘導線３２が１本ずつ設けられている。横方向切断誘導線３２に関する詳細は第１の実施形態と同様である。また各保護シート３０Ａ，３０Ｂには、これらが図４に示す配置状態において、縦中心線Ｌを挟んだ左右の位置に、縦中心線Ｌから所定の距離を隔てて縦中心線Ｌと同方向に延びる縦方向切断誘導線３４が設けられている。縦方向切断誘導線３４に関する詳細は第１の実施形態における縦方向第２切断誘導線３３と同様である。
【００３５】
本第２の実施形態の身体装着具１０を使用する場合には、第１及び第２保護シート３０Ａ，３０Ｂを、自由側縁域２７Ａ，２８Ａの位置において本体部２０から剥離して左右に展開する。この場合、各保護シート３０Ａ，３０Ｂと本体部２０とは、本体部２０の側縁域２５ａ，２６ａにおいて剥離不能に接合されているので、第１及び第２保護シート３０Ａ，３０Ｂは、本体部２０から分離せず、本体部２０と一体の状態が保たれている。
【００３６】
上述の操作に加えて、第１及び第２保護シート３０Ａ，３０Ｂにそれぞれ形成されている横方向切断誘導線３２及び縦方向切断誘導線３４に沿って、各保護シート３０Ａ，３０Ｂを開裂する操作も行う。これによって、各保護シート３０Ａ，３０Ｂには開口部（図示せず）が形成される。
【００３７】
本実施形態の身体装着具１０における各部を構成する材料としては、第１の実施形態に関して説明した材料と同様のものを用いることができる。
【００３８】
図５（ａ）及び（ｂ）に示す第３の実施形態の身体装着具１０は、先に説明した第１の実施形態において、本体部２０の内面２１の全域を被覆する第１保護シート３０１に加えて、本体部２０の外面の全域を被覆する第２保護シート３０２を有している。第１保護シート３０１と第２保護シート３０２とは同形をしており、それらはいずれも第１の実施形態における保護シート３０と同様に構成されている。例えば、第１保護シート３０１及び第２保護シート３０２は、本体部２０の上辺２３及び下辺２４を含む所定幅の上辺域２３ａ及び下辺域２４ａに沿って、本体部２０と剥離可能に連続的に接合されている。また第１保護シート３０１及び第２保護シート３０２は、本体部２０の左側辺２５及び右側辺２６を含む所定幅の側縁域２５ａ，２６ａに沿って、本体部２０と剥離不能に連続的に接合されている。このように、第１保護シート３０１及び第２保護シート３０２は、本体部２０の周縁域の全域にわたって、該本体部２０と連続的に接合しており、それによって、本体部２０はその内面２１のみならず、外面２２も、身体装着具１０が使用されるまでの間、気密な状態が維持され、清潔さが保たれる。
【００３９】
特に、図５（ｂ）に示すように、本体部２０の内部に発熱体４２が配置されており、かつ内面２１を構成する内側シート４０及び外面２２を構成する外側シート４１のいずれもが通気性のものである場合、本実施形態の身体装着具１０は非常に有効である。
【００４０】
本実施形態の身体装着具１０は、図５（ｃ）に示すように使用される。すなわち、縦方向切断誘導線３１（図５（ａ）参照）に沿って第１保護シート３０１及び第２保護シート３０２を左右に二分する。この操作によって、第１及び第２保護シート３０１，０２は、互いに対称形である左半部３０１ａ，３０２ａと右半部３０１ｂ，３０２ｂとに分かれる。左半部３０１ａ，３０２ａ及び右半部３０１ｂ，３０２ｂは、本体部２０の側縁域２５ａ，２６ａにおいて該本体部２０と接合した状態が維持されたままになっているので、これらを左右に展開すると図５（ｃ）に示す状態となる。そして、２つの左半部３０１ａ，３０２ａどうしを重ねて、それらに形成されている２つの開口部３１１ａ，３１２ａの位置を一致させる。かつ２つの右半部３０１ｂ，３０２ｂどうしを重ねて、それらに形成されている２つの開口部３１１ｂ，３１２ｂの位置を一致させる。この状態下に、２つの左半部３０１ａ，３０２ａの開口部３０１ｂ，３０２ｂを左の耳に通し、かつ２つの右半部３０１ｂ，３０２ｂの開口部３１１ｂ，３１２ｂを左の耳に通す。このようにして、装着状態が完成する。以上の説明から明らかなように、本実施形態の身体装着具１０は、左右の耳掛け部がそれぞれ二重のループになっている。
【００４１】
なお、本実施形態は、先に説明した第１の実施形態の変形例であるが、これに代えて、本実施形態を、第２の実施形態に適用してもよい。
【００４２】
図６に示す第４の実施形態の身体装着具１０は、先に説明した第１及び第２の実施形態の身体装着具において、保護シート３０の上側に第２の保護シート３０’を更に配置したものである。第２の保護シート３０’は１枚のシートから構成されている。第２の保護シート３０’は一般的に非通気性シートから構成することができる。この場合、第１の保護シート３０は通気性でもよく、あるいは非通気性でもよい。第２の保護シート３０’は、その周縁部の全体が、本体部２０の周縁部と剥離可能に接合されている。身体装着具１０の使用時には、第２の保護シート３０’を本体部２０から完全に剥離して除去する。その後に第１の保護シート３０を、第１の実施形態又は第２の実施形態に従い剥離・展開して、耳掛け部として利用し身体に装着すればよい。したがって、本実施形態においては、保護シートとしても機能する耳掛け部が、本体部２０と第２保護シート３０’との間に存在している。
【００４３】
上述の説明から明らかなように、本実施形態の身体装着具１０は、第１及び第２の実施形態と異なり、第２の保護シート３０’が廃棄物となってしまう。しかし、その発生量は、本体部２０の内面の面積に限られるので、従来用いられていた外袋よりも使用量を減らすことができ、廃棄物の発生量を最小限にとどめることができる。
【００４４】
本実施形態の身体装着具１０においては、第２の保護シート３０’に対応する保護シートのみを用い、第１の保護シート３０を用いなくてよい場合がある。例えば、第１の保護シート３０を用いない代わりに、耳掛け部となるべきシートや紐製やゴム紐製の耳掛け具を本体部２０の内面２１上に配置しておき（このシートは、内面２１の全域を被覆していない）、その上に第２の保護シート３０’に対応する保護シートを配置し、該保護シートと本体部とをそれらの周縁部で接合することができる。つまり、耳掛け部が、本体部２０と第２保護シート３０’との間に存在するようにしてもよい。このような構成を採用することで、耳掛け部のデザインの自由度が高まる。
【００４５】
以上、本発明をその好ましい実施形態に基づき説明したが、本発明は前記の実施形態に制限されない。例えば、本体部の形状は上述したものに限られず、本体部の具体的な適用部位に応じて適切な形状を選択することができる。
【００４６】
また、図４に示す第２の実施形態においては、身体装着具１０の具体的な用途によっては、第１保護シート３０Ａ及び第２保護シート３０Ｂにおける自由側縁域２７Ａ，２８Ａは、本体部２０と接合されていなくてもよい。
また、図１に示す第１の実施形態においては、本体部２０と保護シート３０との間に、場合によって衛生的な状態が保たれる程度に、非接合部位が存在しても良い。
【符号の説明】
【００４７】
１０  身体装着具
２０  本体部
３０  保護シート
３０’  第２の保護シート
【図１】
2012005791.tif 000003
【図２】
2012005791.tif 000004
【図３】
2012005791.tif 000005
【図４】
2012005791.tif 000006
【図５】
2012005791.tif 000007
【図６】
2012005791.tif 000008